(57)【要約】      （修正有）【課題】トルク低下を防ぎつつ振動を抑制し、効率も向上させることができる同期モータの回転子を提供する。【解決手段】界磁巻線を有する同期モータの回転子１１において、ｄ軸からある角度θまでを中央領域１１Ａ、前記角度θから磁極端までを周辺領域１１Ｂとしたとき、前記中央領域１１Ａは、ステータ内接円とロータ外端面を構成する外周面との距離であるギャップ長を一定とし、前記周辺領域１１Ｂは、ｄ軸から離れるに従い、ステータ内接円とロータ外端面を構成する外周面との距離であるギャップ長を徐々に大きくするので、トルクリプル（振動・騒音）を抑制できるだけでなく、トルクの低下を低減することができる。【選択図】図３
2020188591.tif 000002
【特許請求の範囲】
【請求項１】
界磁巻線を有する同期モータの回転子において、ｄ軸からある角度θまでを中央領域、前記角度θから磁極端までを周辺領域としたとき、前記中央領域は、ステータ内接円とロータ端部を構成する外周面との距離であるギャップ長が一定であり、前記周辺領域は、ｄ軸から離れるに従い、徐々にギャップ長が大きくなることを特徴とする同期モータの回転子。
【請求項２】
請求項１記載の同期モータの回転子において、
前記周辺領域のロータ外端面は、平面となっていることを特徴とする同期モータの回転子。
【請求項３】
請求項１記載の同期モータの回転子において、
前記周辺領域のロータ外端面を構成する外周面の曲率半径は、前記中央領域のロータ外端面を構成する外周面の曲率半径より小さいことを特徴とする同期モータの回転子。
【請求項４】
請求項１記載の同期モータの回転子において、
前記角度θは電気角で、
０°＜θ≦６６°、
とすることを特徴とする同期モータの回転子。
【請求項５】
請求項４記載の同期モータの回転子において、
前記角度θは電気角で、
３０°≦θ≦６０°、
とすることを特徴とする同期モータの回転子。
【請求項６】
請求項１記載の同期モータの回転子において、
ロータ傘部で、かつ、ｄ軸からある角度θ’の位置に、軸方向に貫通する貫通孔を設け、
角度θ’は電気角で、
３２°≦θ’≦６０°、
とすることを特徴とする同期モータの回転子。
【発明の詳細な説明】
【技術分野】
【０００１】
本発明は、同期モータの回転子に関する。詳しくは、電動車両（電気自動車、ハイブリッド車両、プラグインハイブリッド車両等）用モータにおいて、特にロータに界磁巻線を有する同期モータにおいて、トルク低下を防ぎつつ振動を抑制し、効率も向上させるように改良したものである。
【背景技術】
【０００２】
従来技術に係る同期モータの回転子１を図１に示す。図１では、界磁巻線を省略した。上記同期モータの回転子１の一極分１ａの拡大図を図２に示す。
図２に示すように、界磁巻線を有する同期モータの振動抑制手法としては、一点鎖線で示すステータ内接円Ｓに比べてロータ外端面Ｔを構成する外周面の曲率半径を小さくする手法が一般的に知られている。
【０００３】
この手法によれば、ｄ軸（磁極が作る磁束の方向）が位置するロータ先端から離れるに従って、ステータ内接円Ｓとロータ外端面Ｔとの距離であるギャップ長が次第に大きくなる。
なお、特許文献１に示すように、ｄ軸を中心として、ステータ内接円とロータ外端面との隙間（ギャップ長）を非対称とする例もある。
【先行技術文献】
【特許文献】
【０００４】
【特許文献１】特開平０５−２５２６７５号公報
【発明の概要】
【発明が解決しようとする課題】
【０００５】
上述した手法では、トルクリプル（振動・騒音）を抑制できるが、ステータ内接円Ｓとロータ外端面Ｔとの距離であるギャップ長を一定とする場合よりもトルクが低下する、言い換えれば、モータ体格が大きくなる問題があった。
【課題を解決するための手段】
【０００６】
上記課題を解決する第１発明に係る同期モータの回転子は、界磁巻線を有する同期モータの回転子において、ｄ軸からある角度θまでを中央領域、前記角度θから磁極端までを周辺領域としたとき、前記中央領域は、ステータ内接円とロータ外端面を構成する外周面との距離であるギャップ長が一定であり、前記周辺領域は、ｄ軸から離れるに従い、徐々にギャップ長が大きくなることを特徴とする。
【０００７】
上記課題を解決する第２発明に係る同期モータの回転子は、第１発明において、前記周辺領域のロータ外端面は、平面となっていることを特徴とする。
【０００８】
上記課題を解決する第３発明に係る同期モータの回転子は、第１発明において、前記周辺領域のロータ外端面を構成する外周面の曲率半径は、中央領域のロータ外端面の曲率半径より小さいことを特徴とする。
【０００９】
上記課題を解決する第４発明に係る同期モータの回転子は、第１発明において、前記角度θは電気角で、０°＜θ≦６６°、とすることを特徴とする。
【００１０】
上記課題を解決する第５発明に係る同期モータの回転子は、第４発明において、前記角度θは電気角で、３０°≦θ≦６０°、とすることを特徴とする。
【００１１】
上記課題を解決する第６発明に係る同期モータの回転子は、第１発明において、ロータ傘部で、かつ、ｄ軸からある角度θ’の位置に、軸方向に貫通する貫通孔を設け、前記角度θ’は電気角で、３２°≦θ’≦６０°とすることを特徴とする。
【発明の効果】
【００１２】
本発明によれば、トルクリプル（振動・騒音）を抑制できるだけでなく、トルクの低下を低減することができる。
【図面の簡単な説明】
【００１３】
【図１】従来技術に係る同期モータのロータを示す断面図である。
【図２】従来技術に係る同期モータのロータの一極分を示す拡大断面図である。
【図３】本発明の実施例１に係る同期モータのロータを示す断面図である。
【図４】本発明の実施例２に係る同期モータのロータを示す断面図である。
【図５】本発明の実施例３に係る同期モータのロータを示す断面図である。
【図６】本発明の実施例４に係る同期モータのロータを示す断面図である。
【図７】本発明の実施例１に係る解析結果であるトルク変化率を示すグラフである。
【図８】本発明の実施例１に係る解析結果であるトルクリプル変化率を示すグラフである。
【図９】本発明の実施例４に係る解析結果であるトルク変化率を示すグラフである。
【図１０】本発明の実施例４に係る解析結果である鉄損変化率を示すグラフである。
【発明を実施するための形態】
【００１４】
本発明について、図面に示す実施例を参照して詳細に説明する。
【００１５】
［実施例１］
本発明の実施例１に係る界磁巻線１２を有する同期モータの回転子（一極分）１１を図３に示す。
図３に示すように、ロータ先端であるｄ軸からある角度θまで（中央領域１１Ａ）においては、ギャップ長を一定に保つ。つまり、中央領域１１Ａにおいては、ロータ外端面Ｔを構成する外周面の曲率半径をステータ内接円Ｓに比較してごくわずか小さくする、或いは、ほぼ同じとする。即ち、ステータ内接円とロータ外線円とはほぼ等しくする。
【００１６】
更に、角度θから磁極端（ｑ軸）にかけて（周辺領域１１Ｂ）においては、ｄ軸から離れるに従い、ステータ内接円Ｓとロータ外端面Ｔを構成する外周面との距離であるギャップ長を徐々に大きくする。ｄ軸とｑ軸とは電気的、磁気的に直交する。
詳しくは、角度θから磁極端にかけての周辺領域１１Ｂでは、中央領域１１Ａよりロータ外端面Ｔを構成する外周面のＲ（曲率半径）を小さくした曲面とする。
【００１７】
なお、図３においては、周辺領域１１Ｂのロータ外端面Ｔを構成する外周面を実線で描き、ロータ外端面Ｔを外れた部分の円弧を破線で示した。実線及び破線で示す円弧の中心は、ｄ軸から離れた位置にある。
ここで、「ギャップ長」とはステータ内接円Ｓとロータ外端面Ｔを構成する外周面との距離である。
【００１８】
このように、周辺領域１１Ｂでギャップ長を徐々に広げることにより、ギャップ円周上の磁束密度分布が正弦波に近づき従来技術と同様に振動や騒音（トルクリプル、電磁加振力）の低減効果がある。
さらに中央領域１１Ａはギャップ長が一定であるため、界磁磁束経路の磁気抵抗の増加が抑制され、トルクの低下を低減することができる。
【００１９】
本実施例に係る同期モータの解析結果を図７，８に示す。最大ギャップ長（ロータｑ軸端とステータ内接円Ｓの距離）は一定としている。
θ＝０°は背景技術で説明した通りであり、θ＝９０°はギャップ長一定（振動対策無し）と同義となる。なお、角度θは、電気角で表す。
【００２０】
解析は負荷（電流値）３段階で行った。
低負荷：常用領域（市街地走行想定）、
中負荷：長時間定格トルク、
高負荷：瞬時最大トルク
グラフはθ＝０°（背景技術）を基準とした変化率で示している。
【００２１】
図７に示すように、低負荷、中負荷では角度θ（電気角）を大きくすると、θ＝３０〜６０°程度でトルク最大となり、さらに角度θを大きくするとトルクは下がっていく。図８に示すように、トルクリプルはθを大きくするとθ＝３０°までは減少し、θ＝６６°付近までほぼ一定、それより大きくなると急激に増加している。
【００２２】
即ち、角度θの範囲を電気角で３０〜６６°とすれば、従来技術よりもトルクリプルを低減できる。
さらに、トルクも従来技術や振動対策無しの場合より向上できる。
つまり同じトルクを出力する場合に電流（銅損）を低減できるため、効率向上も期待できる。
【００２３】
図７に示すように、高負荷では低、中負荷とトルク値の傾向が若干異なり、トルクのピークがθ＝６０〜７５°付近に移動している。
界磁電流、電機子電流がともに大きい高負荷時はロータ先端が磁気飽和に近づくためである。図８に示すように、トルクリプルの傾向は負荷によらずθが６６°以上で急激に増加する。
よってθを６０°付近に設定すれば、トルク値はロータ外周の曲率を変更しない場合と同等のトルクが得られ、トルクリプルは従来技術と同等まで下げることができる。
【００２４】
以上から角度θの範囲は電気角で、
０°＜θ≦６６°
が好ましく。
【００２５】
より好ましくは、
３０°≦θ≦６０°
とすれば従来技術より優れた特性となる。
【００２６】
この範囲から、低負荷時の効率（燃費・電費）を優先するか、最大トルクを優先するかで角度θを決定すれば良い。
なお、上記の解析結果は６極７２スロットでの結果だが、６極３６スロットや８極４８スロット等他のコンビネーションでも同等の効果が得られる。
【００２７】
［実施例２］
本発明の実施例２に係る界磁巻線２２を有する同期モータの回転子（一極分）２１を図４に示す。
図４に示すように、ロータ先端であるｄ軸からある角度θまで（中央領域２１Ａ）においては、ギャップ長を一定に保つ点は、実施例１と共通である。
また、本実施例においても、角度θから磁極端部にかけて（周辺領域２１Ｂ）においては、ｄ軸から離れるに従い、ステータ内接円Ｓとロータ外端面Ｔを構成する外周面との距離であるギャップ長を徐々に大きくするのである点でも、実施例１と共通する。
【００２８】
但し、周辺領域２１Ｂにおいて、ギャップ長を曲線的に大きくするのではなく、直線的に大きくする。つまり、本実施例では、周辺領域２１Ｂのロータ外端面Ｔが直線状の切欠きをなす平面となっている。
その他は、実施例１と同様である。
なお、中央領域２１Ａと周辺領域２１Ｂの境界のコーナーに湾曲Ｒをつけても良い。
本実施例のように、周辺領域２１Ｂのロータ外端面Ｔが直線状の切欠きとなす平面となっていても、実施例１と同様の効果が期待できる。
【００２９】
［実施例３］
本発明の実施例３に係る界磁巻線３２を有する同期モータの回転子（一極分）３１を図５に示す。
図５に示すように、ロータ先端であるｄ軸からある角度θまで（中央領域３１Ａ）においては、ギャップ長を一定に保ち、角度θから磁極端（ｑ軸）にかけて（周辺領域３１Ｂ）においては、ｄ軸から離れるに従い、ステータ内接円Ｓとロータ外端面Ｔを構成する外周面との距離であるギャップ長を徐々に大きくする。
【００３０】
詳しくは、角度θから磁極端にかけての周辺領域３１Ｂでは、中央領域３１Ａよりロータ外端面Ｔを構成する外周面のＲ（曲率半径）を小さくした曲面とする。
なお、図５においては、周辺領域１１Ｂのロータ外端面Ｔを構成する外周面を実線で描き、ロータ外端面Ｔを外れた部分の円弧を破線で示した。実線及び破線で示す円弧の中心は、ｄ軸である中心線上に位置する。
【００３１】
その他は、実施例１と同様である。
本実施例では、周辺領域１１Ｂのロータ外端面Ｔを構成する外周面の円弧が、ｄ軸である中心線上に位置する点で実施例１と異なるが、実施例１と同様の効果が期待できる。
【００３２】
［実施例４］
本発明の実施例４に係る界磁巻線（図示省略）を有する同期モータの回転子（一極分）４１を図６に示す。
本実施例は、実施例１〜３と同様な構成で、さらにロータコアの界磁巻線部４１ａより外周側（傘部分）４１ｂで、かつ、ｄ軸から電気角である角度θ’の位置に軸方向に貫通する貫通孔４２を設ける。図中では、θ’はθよりも小さい場合を示している。貫通孔４２の形状は円だけでなく楕円や三角、菱形等でも良い。
【００３３】
貫通孔４２を設けることで磁束が整列され、鉄損を低減できる。さらに、界磁巻線のボビンの位置決めをするガイドの役割も果たす。
本実施例の解析結果を図９、１０に示す。図９、１０では、ロータ外接円からの距離（径方向位置）を３パターンとしたものである。
Ａ:２.８ｍｍ、Ｂ:４.３ｍｍ、Ｃ:５.８ｍｍ
結果は貫通孔なしを基準とした変化率で表している。
【００３４】
図９に示すように、トルクは貫通孔の径方向位置によらず似た傾向になっており、θ’が電気角３２°以上で貫通孔が無い場合より大きいトルクとなっている。
図１０に示すように、鉄損も貫通孔の径方向位置を変えても傾向は同じであり、貫通孔が無い場合より鉄損が低減している。
【００３５】
よって、貫通孔４２の位置を電気角で３２°以上６０°以下とすれば、トルクは向上し鉄損は低減する、つまりモータ効率を向上させることができる。
実施例１〜３と組み合わせればトルクリプルも低減できることが期待できる。
【産業上の利用可能性】
【００３６】
本発明は、同期モータの回転子として広く産業上利用可能なものである。
【符号の説明】
【００３７】
１  同期モータの回転子
１ａ  回転子の一極分
１１，２１，３１，４１  同期モータの回転子（一極分）
１１Ａ，２１Ａ，３１Ａ  中央領域
１１Ｂ，２１Ｂ，３１Ｂ  周辺領域
１２，２２，３２  界磁巻線
４１ａ  界磁巻線部
４１ｂ  傘部分
４２  貫通穴
【図１】
2020188591.tif 000003
【図２】
2020188591.tif 000004
【図３】
2020188591.tif 000005
【図４】
2020188591.tif 000006
【図５】
2020188591.tif 000007
【図６】
2020188591.tif 000008
【図７】
2020188591.tif 000009
【図８】
2020188591.tif 000010
【図９】
2020188591.tif 000011
【図１０】
2020188591.tif 000012